(57)【要約】【課題】録画再生装置において、コンテンツに対して操作指示を行う際のユーザによる操作の手間を低減する。【解決手段】ＨＤＲは、アイコン割当画面において、ユーザがアイコン、及びアイコンを割当てたい録画タイトルを選択すると、録画タイトル情報に割当てたアイコン情報を格納する。ユーザによって再生リスト表示選択画面の中から「グループ別表示」が選択された後、アイコン選択画面で所望のアイコンが選択されると、ＨＤＲは、選択されたアイコンに対応するグループ情報を取得した後、このグループ情報に格納される録画タイトルの再生リストをディスプレイ２４に表示する。具体的には、図に示すように、ユーザがアイコンＡ１を選択した場合、アイコンＡ１のグループの録画タイトルをディスプレイ２４に表示する。そして、ユーザが、このリストの中から、複数のコンテンツを選択して、削除を指示すると、ＨＤＲは、選択されたコンテンツを一括で削除する。【選択図】図１７
2012095125.tif 000002
【特許請求の範囲】
【請求項１】
コンテンツを録画可能な録画媒体と、
ユーザによって操作され、各種の操作指示を行うための操作手段と、
前記録画媒体に録画されるコンテンツに割当てられる、複数のアイコンを記憶するアイコン記憶手段と、
前記録画媒体に録画されるコンテンツのうち、同一のアイコンが割当られたコンテンツを一つのグループとするグループ情報を記憶するグループ情報記憶手段と、
装置各部を制御する制御手段とを備える録画再生装置において、
前記操作手段には、ユーザによって操作され、前記アイコン記憶手段に記憶された前記複数のアイコンから、所望のアイコンを選択するためのアイコン選択指示手段が設けられ、
前記制御手段は、ユーザによって前記アイコン選択指示手段が操作されてアイコンが選択された後、ユーザによって前記操作手段が操作されて前記選択以外の他の操作指示が行われると、前記グル-プ情報記憶手段に記憶されているグループ情報に基づいて、前記ユーザによって選択されたアイコンが割当てられているコンテンツに対して、一括で前記他の操作指示に基づく処理を行うことを特徴とする録画再生装置。
【請求項２】
アイコン画像を記憶した外部機器と接続可能な接続手段をさらに備え、
前記制御手段は、前記接続手段を介して前記外部機器から取り込んだ前記アイコン画像を、アイコンとして前記アイコン記憶手段に記憶することを特徴とする請求項１に記載の録画再生装置。
【請求項３】
前記操作手段には、ユーザによって操作され、アイコンを描画するためのアイコン描画操作手段がさらに設けられ、
前記アイコン記憶手段は、ユーザが前記アイコン描画操作手段を操作して描画したアイコンを記憶することを特徴とする請求項１又は請求項２に記載の録画再生装置。
【請求項４】
前記アイコン記憶手段に記憶されたアイコンには、該アイコンが割当てられたコンテンツの録画時間を表示するものを含むことを特徴とする請求項１に記載の録画再生装置。
【請求項５】
前記制御手段は、前記アイコン記憶手段に記憶された、コンテンツの録画時間を表示するアイコンの並び順を、該アイコンに割当てられたコンテンツの録画時間の長い順又は短い順に並び替えた後、リスト形式で出力することを特徴とする請求項４に記載の録画再生装置。
【発明の詳細な説明】
【技術分野】
【０００１】
本発明は、コンテンツにアイコンを割当て可能な録画再生装置に関する。
【背景技術】
【０００２】
従来から、テレビジョン（以下、ＴＶという）番組等のコンテンツを録画可能なハードディスクレコーダ（以下、ＨＤＲという）が知られている。ＨＤＲは、ＴＶ番組等のコンテンツを録画するためのハードディスク（以下、ＨＤＤという）を有し、受信したコンテンツをＨＤＤに録画する。
【０００３】
ところで、近年、ＨＤＤの大容量化に伴い、膨大な数のコンテンツをＨＤＤに録画可能であるＨＤＲが普及している。この種のＨＤＲでは、ユーザが所望の録画タイトル（録画されたコンテンツ）を探し出す際に、膨大な数の録画タイトルの中から所望の録画タイトルを見つけなければならないため、非常に手間が掛かるという問題がある。また、複数の録画タイトルを削除したい場合、膨大な数の録画タイトルの中から削除対象の録画タイトルを見付け出した後に削除を行うという一連の操作を繰り返さなければならないため、録画タイトルに対する操作に非常に手間が掛かるという問題もある。
【０００４】
これに対して、特許文献１には、推薦コンテンツをユーザに提示するための推薦情報を生成し、その推薦情報をユーザに提示する場合、そのうちの少なくとも一部の提示形態を変化させる情報処理装置が開示されている。しかしながら、この情報処理装置では、上記問題を解決できない。
【０００５】
また、特許文献２には、画面上にボタンを表示するための名称や、次画面を読み出すための識別情報や、この次画面の表示形態に対応する形態情報を含むボタン情報を受信する受信部と、受信されたボタン情報に基づいて、画面上のボタンエリア内に名称および形態情報に基づいたアイコンを所定の順序で表示する画面処理制御部とを備え、表示画面の各ボタン上に、選択・決定操作が行われた場合に表示される画面の形態を表すアイコンを所定の位置に表示させる画面処理装置が開示されている。しかしながら、この画面処理装置であっても、上記問題を解決できない。
【０００６】
また、特許文献３には、ＨＤＤ、デジタルカメラ、ＴＶチューナ、及びＤＶＤ等のデータソース毎に、ＨＤＤのアイコン列、デジタルカメラのアイコン列、ＴＶチューナのアイコン列、及びＤＶＤのアイコン列を作成し、それぞれのアイコンを一列に並べたり、選択されたアイコンを拡大して表示したり、属性情報領域に属性情報を表示したりすることによって、操作性を高める情報処理装置が開示されている。しかしながら、この情報処理装置では、録画タイトルを選択する際の手間を低減できても、上記問題を解決できない。
【０００７】
また、特許文献４には、ＥＰＧデータに基づく図をアイコン化して番組アイコンとするアイコン生成部と、番組アイコンをＥＰＧに対応付けて、複数の番組アイコンからなるアイコンＥＰＧを作成するアイコン制御部と、アイコンＥＰＧの中で放送中及び数分後に放送される番組アイコンが存在するときはその旨が識別できるようにＥＰＧを表示するデジタル放送受信装置が開示されている。しかしながら、このデジタル放送受信装置であっても、上記問題を解決できない。
【先行技術文献】
【特許文献】
【０００８】
【特許文献１】特開２００８−１８７５７６号公報
【特許文献２】特開２００６−３２３５４４号公報
【特許文献３】特開２００６−２２８１１４号公報
【特許文献４】特開２００２−２９０８６４号公報
【発明の概要】
【発明が解決しようとする課題】
【０００９】
本発明は、上述した問題点を解決するためになされたものであり、コンテンツに対して操作指示を行う際のユーザによる操作の手間を低減できる録画再生装置を提供することを目的とする。
【課題を解決するための手段】
【００１０】
上記目的を達成するために請求項１の発明は、コンテンツを録画可能な録画媒体と、ユーザによって操作され、各種の操作指示を行うための操作手段と、前記録画媒体に録画されるコンテンツに割当てられる、複数のアイコンを記憶するアイコン記憶手段と、前記録画媒体に録画されるコンテンツのうち、同一のアイコンが割当られたコンテンツを一つのグループとするグループ情報を記憶するグループ情報記憶手段と、装置各部を制御する制御手段とを備える録画再生装置において、前記操作手段には、ユーザによって操作され、前記アイコン記憶手段に記憶された前記複数のアイコンから、所望のアイコンを選択するためのアイコン選択指示手段が設けられ、前記制御手段は、ユーザによって前記アイコン選択指示手段が操作されてアイコンが選択された後、ユーザによって前記操作手段が操作されて前記選択以外の他の操作指示が行われると、前記グル-プ情報記憶手段に記憶されているグループ情報に基づいて、前記ユーザによって選択されたアイコンが割当てられているコンテンツに対して、一括で前記他の操作指示に基づく処理を行うものである。
【００１１】
また、請求項２の発明は、請求項１に記載の録画再生装置において、アイコン画像を記憶した外部機器と接続可能な接続手段をさらに備え、前記制御手段は、前記接続手段を介して前記外部機器から取り込んだ前記アイコン画像を、アイコンとして前記アイコン記憶手段に記憶するものである。
【００１２】
また、請求項３の発明は、請求項１又は請求項２に記載の録画再生装置において、前記操作手段には、ユーザによって操作され、アイコンを描画するためのアイコン描画操作手段がさらに設けられ、前記アイコン記憶手段は、ユーザが前記アイコン描画操作手段を操作して描画したアイコンを記憶するものである。
【００１３】
また、請求項４の発明は、請求項１に記載の録画再生装置において、前記アイコン記憶手段に記憶されたアイコンには、該アイコンが割当てられたコンテンツの録画時間を表示するものを含むものである。
【００１４】
また、請求項５の発明は、請求項４に記載の録画再生装置において、前記制御手段は、前記アイコン記憶手段に記憶された、コンテンツの録画時間を表示するアイコンの並び順を、該アイコンに割当てられたコンテンツの録画時間の長い順又は短い順に並び替えた後、リスト形式で出力するものである。
【発明の効果】
【００１５】
請求項１の発明によれば、ユーザによって選択されたアイコンが割当てられているコンテンツに対して、一括で、アイコンの選択以外の他の操作指示に基づく処理（例えば、一括プロテクト処理や、一括削除処理）を行う。そのため、複数のコンテンツに対して操作指示を行う際に、コンテンツの一つずつに対して操作を行う必要がなくなるので、ユーザによる操作の手間を低減できる。
【００１６】
また、請求項２の発明によれば、外部機器から取り込んだアイコン画像を、アイコンとして記憶するので、ユーザは、例えば、パソコン等を用いて作成した好みのアイコンを容易にコンテンツに割当てることができる。従って、ユーザにとって、アイコンによるコンテンツの識別性がより良くなると共に、コンテンツに割当てるアイコンの嗜好性を高めることができる。
【００１７】
また、請求項３の発明によれば、ユーザが描画したアイコンを記憶するため、ユーザは、自ら作成したアイコンをコンテンツに容易に割当てることができる。従って、アイコンによるコンテンツの識別性をより良くすることができると共に、コンテンツに割当てるアイコンの嗜好性をより高めることができる。
【００１８】
また、請求項４の発明によれば、コンテンツの録画時間をアイコンに表示することができるので、ユーザは、コンテンツに対して録画時間を表示させる操作を行うことなしに、アイコンを見るだけでコンテンツの録画時間が分かる。従って、ユーザによるコンテンツに対しての操作の手間を低減できる。
【００１９】
また、請求項５の発明によれば、コンテンツの録画時間を表示するアイコンを、コンテンツの録画時間の長い順又は短い順に並び替えた後、リスト形式で出力できる。そのため、ユーザは、録画時間の長いコンテンツや短いコンテンツを容易に探し出すことができる。
【図面の簡単な説明】
【００２０】
【図１】本発明の一実施形態に係るＨＤＲと、このＨＤＲに接続されたＴＶ受像機とを含む録画再生システムを示す斜視図。
【図２】上記ＨＤＲの内部構成を示すブロック図。
【図３】上記ＨＤＲのリモコンの上面を示す上面図。
【図４】上記ＴＶ受像機の内部構成を示すブロック図。
【図５】上記ＨＤＲにおけるアイコンの描画処理の手順を示すフローチャート。
【図６】上記ＨＤＲにおけるアイコンの取り込み処理の手順を示すフローチャート。
【図７】上記ＨＤＲにおける録画時間アイコンの作成処理の手順を示すフローチャート。
【図８】上記ＨＤＲのアイコンデータに格納されるアイコンのリストを示す説明図。
【図９】上記ＨＤＲにおいて作成されるアイコンの一例を示す説明図。
【図１０】上記ＨＤＲにおいて作成されるアイコンの別の例を示す説明図。
【図１１】上記ＨＤＲにおけるアイコンの割当て処理の手順を示すフローチャート。
【図１２】上記ＨＤＲによって表示されるアイコン割当画面の一例を示す説明図。
【図１３】上記ＨＤＲによって表示される再生リスト表示選択画面の一例を示す説明図。
【図１４】上記ＨＤＲによって表示される再生リストの一例を示す説明図。
【図１５】上記ＨＤＲにおけるグループ別表示処理の手順を示すフローチャート。
【図１６】上記ＨＤＲによって表示されるアイコン選択画面の一例を示す説明図。
【図１７】上記ＨＤＲによって表示される再生リストの別の例を示す説明図。
【図１８】上記ＨＤＲにおけるグループ別表示処理の別の手順を示すフローチャート。
【図１９】上記ＨＤＲにおけるコンテンツの一括処理の手順を示すフローチャート。
【発明を実施するための形態】
【００２１】
以下、本発明の一実施形態に係るハードディスクレコーダ（請求項における録画再生装置）について、図１乃至図４を参照して説明する。図１は、ハードディスクレコーダ（以下、ＨＤＲという）１と、このＨＤＲ１にＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル４を介して接続されたテレビジョン（以下、ＴＶという）受像機２とを含む録画再生システム１００の概略構成を示す。図２は、ＨＤＲ１の内部構成を示し、図３は、ＨＤＲ１に対して各種の操作指示を行うためのリモコン（操作手段）５の上面を示す。図４は、ＴＶ受像機２の内部構成を示す。
【００２２】
ＨＤＲ１、及びＴＶ受像機２は、いずれもＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）に対応した機器であり、ＨＤＭＩ−ＣＥＣ（Ｃｏｎｓｕｍｅｒ  Ｅｌｅｃｔｒｏｎｉｃｓ  Ｃｏｎｔｒｏｌ）に基づくＣＥＣコマンドと、ＣＥＣコマンドに対するレスポンスデータとを送受信可能である。ＨＤＲ１とＴＶ受像機２とは、ＨＤＭＩケーブル４を介して接続され、ＨＤＲ１から供給された映像はＴＶ受像機２のディスプレイ２４に表示可能である。
【００２３】
ＨＤＭＩケーブル４は、映像信号及び音声信号等の伝送ラインであるＴＭＤＳ（Ｔｒａｎｓｉｔｉｏｎ  Ｍｉｎｉｍｉｚｅｄ  Ｄｉｆｆｅｒｅｎｔｉａｌ  Ｓｉｎｇｎａｌｉｎｇ）ラインと、ＣＥＣコマンドを双方向に伝送する伝送ラインであるＣＥＣラインとを含むものである。
【００２４】
ＨＤＲ１は、図２に示すように、アンテナ１１に接続され、デジタル放送信号を受信するチューナ部１２と、デコーダ部１３と、リモコン５から送信されるリモコン信号を受信するリモコン信号受信部１４と、ＨＤＭＩ規格に対応した外部機器を接続するためのＨＤＭＩ端子部（接続手段）１５と、ＵＳＢ（Ｕｎｉｖｅｒｓａｌ  Ｓｅｒｉａｌ  Ｂｕｓ）ポート（接続手段）１６とを備える。
【００２５】
また、ＨＤＲ１は、各種情報を記憶したメモリ（アイコン記憶手段、グループ情報記憶手段）１７と、チューナ部１２によって受信されたＴＶ番組等のコンテンツを録画するハードディスク（以下、ＨＤＤという；請求項における録画媒体）１８と、ＨＤＤ１８に対するＴＶ番組の書き込みや読み出しを行うアクセス部１９と、装置各部を制御するための制御用マイコン（制御手段）１０とをさらに備える。
【００２６】
チューナ部１２は、アンテナ１１を介して、放送局から配信される各チャンネルのデジタル放送信号を受信する。デジタル放送信号には、ＴＶ番組の映像信号及び音声信号と、配信されるＴＶ番組の番組情報とが含まれている。
【００２７】
デコーダ部１３は、チューナ部１２によって受信されたデジタル放送信号に対して復調処理や誤り訂正処理等を行い、多重化された信号から必要なＴＳ（トランスポートストリーム）パケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。
【００２８】
映像デコード回路は、映像信号を含むＴＳパケットに対して復号化処理を行い、映像信号を抽出し、抽出した映像信号を制御用マイコン１０に出力する。音声デコード回路は、音声信号を含むＴＳパケットに対して復号化処理を行い、音声信号を抽出し、抽出した音声信号を制御用マイコン１０に出力する。
【００２９】
データデコード回路は、ＳＩ（Ｓｅｒｖｉｃｅ  Ｉｎｆｏｒｍａｔｉｏｎ）データを含むＴＳパケットに対して復号化処理を行い、ＳＩデータを抽出し、抽出したＳＩデータを制御用マイコン１０に出力する。ＳＩデータは、ＴＶ番組の番組情報が格納されたＥＩＴ（Ｅｖｅｎｔ  Ｉｎｆｏｒｍａｔｉｏｎ  Ｔａｂｌｅ）等を有している。
【００３０】
ＨＤＭＩ端子部１５には、ＴＶ受像機２と接続されたＨＤＭＩケーブル４の一端が接続されている。なお、ＨＤＭＩ端子部１５には、ＨＤＭＩ規格に対応したデジタルカメラ等も接続できる。
【００３１】
ＵＳＢポート１６は、ＵＳＢケーブルを介して、ＵＳＢ規格に対応するビデオカメラ６等の外部機器と接続可能である。ＵＳＢポート１６は、接続された外部機器から供給される画像データを受信し、制御用マイコン１０に送信する。
【００３２】
メモリ１７は、制御用マイコン１０を動作させるためのプログラム１７ａと、番組情報１７ｂと、予約録画番組情報１７ｃと、録画タイトル情報１７ｄと、アイコンデータ（アイコン記憶手段）１７ｅと、グループデータ（グループ情報記憶手段）１７ｆとを格納している。
【００３３】
予約録画番組情報１７ｃには、ユーザによって設定された予約録画番組の情報が格納されている。具体的には例えば、○月○日の午後８時から午後８時５４分までＡチャンネルを録画するといった録画情報と、この録画コンテンツに割当てるアイコンの情報とが格納されている。
【００３４】
録画タイトル情報１７ｄには、ＨＤＤ１８に録画されたコンテンツ（録画タイトル）の情報が格納されている。具体的には、コンテンツの番組名、録画時間、録画日時、及びそのコンテンツに割当てられたアイコン情報が格納されている。
【００３５】
アイコンデータ１７ｅには、ＨＤＤ１８に録画される各コンテンツに割当てられる、複数のアイコンの情報が格納されている。アイコンデータ１７ｅには、ＨＤＲ１の製造時に、いくつかのアイコンの情報が予め格納されている。また、アイコンデータ１７ｅには、新たにアイコンを追加して格納することができる。グループデータ１７ｆには、ＨＤＤ１８に録画されるコンテンツのうち、同一のアイコンが割当られたコンテンツを一つのグループとするグループ情報が格納されている。
【００３６】
制御用マイコン１０は、再生制御部１０ａと、録画制御部１０ｂと、番組情報取得部１０ｃと、ＨＤＭＩ通信制御部１０ｄと、アイコン格納制御部１０ｅと、アイコン描画部１０ｆと、グループ登録部１０ｇと、録画タイトル表示制御部１０ｈと、コンテンツ一括処理部１０ｉとを有し、ユーザによるリモコン５の操作に基づいてＨＤＲ１の制御処理を行う。
【００３７】
再生制御部１０ａは、アクセス部１９によってＨＤＤ１８から読み出されたコンテンツの再生を行い、再生されたコンテンツの映像信号及び音声信号を、ＨＤＭＩケーブル４を介してＴＶ受像機２に出力する処理を行う。録画制御部１０ｂは、ユーザによる録画指示や予約録画番組情報１７ｃの内容に基づき、チューナ部１２によって受信されたＴＶ番組を、アクセス部１９を用いてＨＤＤ１８に録画する処理を行う。
【００３８】
番組情報取得部１０ｃは、デコーダ部１３から受信したＥＩＴに基づき、番組タイトルや放送開始時間等のＴＶ番組の番組情報を取得して、メモリ１７の番組情報１７ｂに格納する処理を行う。
【００３９】
ＨＤＭＩ通信制御部１０ｄは、ＴＶ受像機２に対して、ＨＤＭＩ−ＣＥＣ規格に基づくＣＥＣコマンド及びレスポンスデータの送受信や、コンテンツの映像信号及び音声信号の送信や、各種メニュー画面の映像信号を送信するための処理を行う。
【００４０】
アイコン格納制御部１０ｅは、画像データをアイコンとしてメモリ１７のアイコンデータ１７ｅに格納する処理を行う。具体的には、アイコン格納制御部１０ｅは、ＵＳＢポート１６に接続された外部機器から取り込んだ画像データをアイコンとして、アイコンデータ１７ｅに格納する処理や、ＨＤＤ１８に録画されたコンテンツ内の映像の一部をアイコンとして、アイコンデータ１７ｅに格納する処理を行う。また、アイコン格納制御部１０ｅは、ユーザによって描画された画像データをアイコンとして、アイコンデータ１７ｅに格納する処理や、ＨＤＤ１８に録画されたコンテンツの録画時間を表示するアイコン（以下、録画時間アイコンという）をアイコンデータ１７ｅに格納する処理を行う。
【００４１】
アイコン描画部１０ｆは、ユーザがリモコン５を操作することによりアイコンを描画するための描画画面（お絵書き画面）を表示する処理を行う。
【００４２】
グループ登録部１０ｇは、同一アイコンが割当てられているコンテンツを１つのグループとするグループ情報を、メモリ１７のグループデータ１７ｆに格納する処理を行う。
【００４３】
録画タイトル表示制御部１０ｈは、ＨＤＤ１８に録画されているコンテンツの内容に基づいて、これらのコンテンツの録画タイトルの一覧をリスト表示する処理や、ユーザによって指定された条件に合致するコンテンツの録画タイトルの一覧をリスト表示する処理を行う。また、録画タイトル表示制御部１０ｈは、ＨＤＤ１８に録画されているコンテンツと、予約されたコンテンツとを含む録画タイトルの一覧をリスト表示することもできる。
【００４４】
コンテンツ一括処理部１０ｉは、ユーザによって選択されたコンテンツに対して、ユーザによって指示された内容の処理を一括で行うものである。具体的には例えば、コンテンツＡ〜Ｃの３つのコンテンツがユーザによって選択された後に、ユーザによってこれらの削除が指示されると、コンテンツ一括処理部１０ｉは、コンテンツＡ〜Ｃの３つのコンテンツを一括で削除する処理を行う。
【００４５】
リモコン５は、図３に示すように、「０」〜「９」の１０個の数字に対応する「０」〜「９」までの数字キー５１（５１ａ〜５１ｊの総称）と、入力した文字や数字を消去するクリアキー５２と、上下左右の各方向に操作可能な十字キー５３（５３ａ〜５３ｄの総称；請求項におけるアイコン描画操作手段）と、決定キー（アイコン選択指示手段）５４とを有する。また、リモコン５は、再生ボタン５５と、録画ボタン５６と、停止ボタン５７と、メニューボタン５８と、電源ボタン５９と、ハードディスクレコーダ３に対してユーザによる操作に応じた操作信号を送信するための信号送信部５０とをさらに有する。
【００４６】
十字キー５３は、ＴＶ受像機２のディスプレイ２４に表示したカーソルを操作するためのものである。また、十字キー５３は、ユーザがアイコンを描画する際に、描画用のカーソルを操作するのにも用いられる。決定キー５４は、各種の入力や選択を行うためのものである。具体的には例えば、ユーザがコンテンツに所望のアイコンを割当てる際に、決定キー５４を操作して、アイコンデータ１７ｅに記憶された複数のアイコンから、所望のアイコンを選択する。
【００４７】
再生ボタン５５は、ＨＤＤ１８に録画されたコンテンツの再生を指示するためのものである。録画ボタン５６は、ＨＤＤ１８にＴＶ番組の録画を行うように指示するためのものである。停止ボタン５７は、コンテンツの再生の停止を指示するためのものである。
【００４８】
メニューボタン５８は、各種動作の指示画面であるメニュー画面を表示させるためのものである。ユーザはメニュー画面上の各種メニューを選択することにより、ＨＤＲ１に対して、例えば、アイコンの描画や、アイコンの割当てや、録画タイトルの再生リストの表示等を指示することができる。電源ボタン５９は、ＨＤＲ１に対して電源のオン／オフを指示するためのものである。
【００４９】
ＴＶ受像機２は、図４に示すように、アンテナ２１に接続され、デジタル放送信号を受信するチューナ部２２と、デコーダ部２３と、映像を表示するディスプレイ２４と、音声を出力するスピーカ２５と、ユーザによって操作される複数のボタンを有する操作部２６とを備える。また、ＴＶ受像機２は、ＨＤＭＩに対応した外部機器を接続するためのＨＤＭＩ端子部２７と、各種情報を記憶したメモリ２８と、装置各部を制御するための制御用マイコン２９とをさらに備える。
【００５０】
チューナ部２２は、アンテナ２１を介して、放送局から配信される各チャンネルのデジタル放送信号を受信する。デジタル放送信号には、ＴＶ番組の映像信号及び音声信号と、配信されるＴＶ番組の番組タイトル等の番組情報とが含まれている。
【００５１】
デコーダ部２３は、チューナ部２２によって受信されたデジタル放送信号に対して復調処理や誤り訂正処理等を行い、多重化された信号から必要なＴＳパケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。
【００５２】
映像デコード回路は、映像信号を含むＴＳパケットに対して復号化処理を行い、映像信号を抽出し、抽出した映像信号を制御用マイコン２９に出力する。音声デコード回路は、音声信号を含むＴＳパケットに対して復号化処理を行い、音声信号を抽出し、抽出した音声信号を制御用マイコン２９に出力する。データデコード回路は、ＳＩデータを含むＴＳパケットに対して復号化処理を行い、ＳＩデータを抽出し、抽出したＳＩデータを制御用マイコン２９に出力する。
【００５３】
ディスプレイ２４は、チューナ部２２によって受信されたＴＶ番組の映像や、ＨＤＲ１から供給された映像を表示する。スピーカ２５は、チューナ部２２によって受信されたＴＶ番組の音声や、ＨＤＲ１から供給された音声を出力する。ＨＤＭＩ端子部２７には、ＨＤＲ１と接続されたＨＤＭＩケーブル４の他端が接続されている。メモリ２８は、制御用マイコン２９を動作させるためのプログラム２８ａを格納している。
【００５４】
制御用マイコン２９は、映像出力部２９ａと、音声出力部２９ｂと、ＨＤＭＩ通信制御部２９ｃとを有し、ユーザによる操作部２６の操作に基づいて自装置の制御処理を行う。映像出力部２９ａは、デコーダ部２３から受信したＴＶ番組の映像信号や、ＨＤＲ１から供給された映像信号をディスプレイ２４に出力する。音声出力部２９ｂは、デコーダ部２３から受信したＴＶ番組の音声信号や、ＨＤＲ１から供給された音声信号をスピーカ２５に出力する。ＨＤＭＩ通信制御部２９ｃは、ＨＤＲ１に対して、ＨＤＭＩ−ＣＥＣに基づくＣＥＣコマンド及びレスポンスデータの送受信や、ＨＤＲ１から送信された映像信号及び音声信号の受信を行う処理をする。
【００５５】
次に、ＨＤＲ１におけるアイコンの描画処理の手順について、図５に示すフローチャートを参照して説明する。まず、制御用マイコン１０は、ユーザがリモコン５を操作してメニュー画面からアイコン描画画面の表示を指示すると（Ｓ１）、制御用マイコン１０は、アイコン描画部１０ｆを用いて、アイコン描画画面をＴＶ受像機２のディスプレイ２４に表示する。アイコン描画画面は、リモコン５の十字キー５３で操作可能な描画用のカーソルと、描画色選択リスト、及び線の太さサイズ選択リスト等から構成され、ユーザによるリモコン５の操作に応じて、アイコンを描画できる。
【００５６】
ユーザがリモコン５を操作することによりアイコンを描画すると（Ｓ３）、制御用マイコン１０は、アイコン格納制御部１０ｅを用いて、描画されたアイコンをメモリ１７のアイコンデータ１７ｅに格納する（Ｓ４）。
【００５７】
次に、ＨＤＲ１におけるアイコンの取り込み処理の手順について、図６に示すフローチャートを参照して説明する。ここでは、ＵＳＢポート１６に、ＵＳＢケーブルを介してビデオカメラ６が接続されているものとし、ビデオカメラ６には、画像データが記憶されているものとする。
【００５８】
まず、制御用マイコン１０は、ＵＳＢポート１６を介して、ビデオカメラ６に記憶されている画像データを取り込んだ後（Ｓ１１）、アイコン格納制御部１０ｅを用いて、取り込んだ画像データからアイコンを作成する（Ｓ１２）。具体的には、画像データの一部を切り取ることによりアイコンとする処理を行う。
【００５９】
そして、制御用マイコン１０は、アイコン格納制御部１０ｅを用いて、上記Ｓ１２で作成したアイコンを、メモリ１７のアイコンデータ１７ｅに格納する（Ｓ１３）。
【００６０】
次に、ＨＤＲ１における録画時間アイコンの作成処理の手順について、図７に示すフローチャートを参照して説明する。まず、ユーザがリモコン５を操作してメニュー画面から録画時間アイコン作成画面の表示を指示すると（Ｓ２１）、制御用マイコン１０は、録画タイトル表示制御部１０ｈを用いて、ＨＤＤ１８に録画されている録画タイトルのリストを表示する（Ｓ２２）。
【００６１】
そして、ユーザがリモコン５を操作することにより、録画時間アイコンを作成したい録画タイトルを選択すると（Ｓ２３）、制御用マイコン１０は、アイコン格納制御部１０ｅを用いて、ユーザによって選択された録画タイトルに対応するコンテンツの録画時間を検出して、検出した録画時間を表示するアイコン（録画時間アイコン）を作成する（Ｓ２４）。ここで作成される録画時間アイコンは、例えば、録画時間が１時間６分４１秒である場合、「１：０６：４１」の文字が表示されるものである。
【００６２】
そして、制御用マイコン１０は、アイコン格納制御部１０ｅを用いて、作成した録画時間アイコンを、メモリ１７のアイコンデータ１７ｅに格納する（Ｓ２５）。
【００６３】
次に、ＨＤＲ１のアイコンデータ１７ｅに格納されるアイコンについて、図８乃至図１０を参照して説明する。図８は、アイコンデータ１７ｅに格納されたアイコンに基づく、アイコンリスト７０の説明図である。図９及び図１０は、アイコンデータ１７ｅに格納されるアイコンの例を示す。
【００６４】
アイコンリスト７０において、７１は画像のアイコンの一例を示す。７２は、文字やイラストのアイコンの一例を示す。７３は、例えばＧＩＦアニメーション等の動きのある映像に基づくアイコン（以下、映像アイコンという）の一例を示し、７４は、お絵書き機能で作成したアイコンの一例を示す。７５は、録画時間アイコンの一例を示す。
【００６５】
アイコンデータ１７ｅには、既存のアイコンを組み合わせることによって作成された新しいアイコンを格納してもよい。具体的には例えば、画像のアイコン７１ａと、お絵書き機能で作成されたフレーム画像（図示せず）とを組み合わせて、図９に示すような画像アイコンを作成してもよい。また、映像アイコン７３ａと、お絵書き機能で作成されたフレーム画像（図示せず）とを組み合わせて、図１０に示すような画像アイコンを作成してもよい。
【００６６】
次に、ＨＤＲ１におけるアイコンの割当て処理の手順について、図１１及び図１２を参照して説明する。図１１は、アイコンの割当て処理の手順を示すフローチャートである。図１２は、ディスプレイ２４に表示されるアイコン割当画面の説明図である。
【００６７】
まず、ユーザがリモコン５を操作してメニュー画面からアイコン割当画面の表示を指示すると（Ｓ４１）、制御用マイコン１０は、録画タイトル表示制御部１０ｈを用いて、ＨＤＤ１８に録画されている録画タイトルのリストを含むアイコン割当画面を表示する（Ｓ４２）。
【００６８】
そして、ユーザがリモコン５を操作することにより、アイコンを選択すると共に、このアイコンを割当てたい録画タイトルを選択すると（Ｓ４３）、制御用マイコン１０は、録画タイトルにアイコンを割当てる（Ｓ４４）。具体的には、制御用マイコン１０は、メモリ１７の録画タイトル情報１７ｄに、割当てたアイコンの情報を格納する。そして、制御用マイコン１０は、グループ登録部１０ｇを用いて、上記Ｓ４４でアイコンを割当てたコンテンツと、既にこのアイコンが割当てられているコンテンツとを、同一グループとするグループ情報をグループデータ１７ｆに格納する（Ｓ４５）。
【００６９】
次に、ＨＤＲ１における再生リストの表示について、図１３及び図１４を参照して説明する。図１３は、ＴＶ受像機２のディスプレイ２４に表示される再生リスト表示選択画面を示し、図１４は、ディスプレイ２４に表示される再生リストの一例を示す。再生リストは、ＨＤＤ１８に録画されている録画タイトルの一覧である。
【００７０】
ユーザがリモコン５を操作してメニュー画面から再生リスト表示選択画面の表示を指示すると、図１３に示すような再生リスト表示選択画面が表示される。再生リスト表示選択画面には、再生リストの表示種別として、「録画日時別表示」、「タイトル別表示」、及び「グループ別表示」の３つがある。
【００７１】
ユーザによって、例えば「録画日時別表示」が選択されると、図１４に示すような再生リストが表示される。再生リストには、録画タイトル名と、録画日時と、各録画タイトルに割当てられたアイコン８１ａ〜８１ｆとが表示される。
【００７２】
次に、ＨＤＲ１におけるグループ別再生リストの表示について、図１５乃至図１７を参照して説明する。図１５は、グループ別再生リストの表示処理の手順を示すフローチャートである。図１６は、ＴＶ受像機２のディスプレイ２４に表示されるアイコン選択画面を示し、図１７は、ディスプレイ２４に表示されるグループ別再生リストの一例を示す。
【００７３】
まず、ユーザによって再生リスト表示選択画面２４の選択項目中から「グループ別表示」が選択されると（Ｓ６１）、制御用マイコン１０は、メモリ１７のアイコンデータ１７ｅの内容に基づき、ＴＶ受像機２のディスプレイ２４にアイコン選択画面を表示させる（Ｓ６２）。アイコン選択画面は、図１６に示すように、アイコンデータ１７ｅに格納されている各アイコンが表示される画面である。
【００７４】
そして、ユーザが所望のアイコンを選択すると（Ｓ６３）、制御用マイコン１０は、グループデータ１７ｆから、ユーザによって選択されたアイコンに対応するグループ情報を取得した後、録画タイトル表示制御部１０ｈを用いて、このグループ情報に対応した録画タイトルの再生リストをディスプレイ２４に表示する（Ｓ６４）。具体的には例えば、ユーザによって上記図１６に示したアイコン選択画面の中から、アイコンＡ１が選択された場合、図１７に示すように、アイコンＡ１が割当てられているグループの録画タイトルがディスプレイ２４に表示される。
【００７５】
次に、ＨＤＲ１におけるグループ別再生リストの表示処理の別の例について、図１８を参照して説明する。図１８は、録画時間アイコンにおけるグループ別再生リストの表示処理の手順を示すフローチャートである。
【００７６】
まず、ユーザによって再生リスト表示選択画面の中から「グループ別表示」が選択されると（Ｓ７１）、制御用マイコン１０は、メモリ１７のアイコンデータ１７ｅの内容に基づき、ＴＶ受像機２のディスプレイ２４にアイコン選択画面を表示させる（Ｓ７２）。
【００７７】
そして、ユーザが録画時間アイコンを選択すると（Ｓ７３）、制御用マイコン１０は、グループデータ１７ｆから、録画時間アイコンに対応するグループ情報を取得した後、録画タイトル表示制御部１０ｈを用いて、録画時間アイコンが割当てられている録画タイトルの再生リストをディスプレイ２４に表示する（Ｓ７４）。ここで表示される再生リストのアイコンには、例えば、「２：２９：４７」や、「１：０６：４１」や、「０：１５：５４」等が表示される。
【００７８】
そして、ユーザが録画タイトルの並び順を、録画時間の短い順に並び替えるように指示すると（Ｓ７５）、制御用マイコン１０は、録画時間の短い順に並び変えた後に、録画タイトルの再生リストをディスプレイ２４に表示する（Ｓ７６）。ここで表示される再生リストのアイコンには、例えば、「０：１５：５４」、「１：０６：４１」、「２：２９：４７」の順ように、録画時間の短いものから表示される。なお、ここでは、ユーザによって録画時間の短い順に並び替えるように指示される例を示したが、これに限られず、例えば、録画時間の長い順に並び替えるように指示されるものであってもよい。
【００７９】
次に、ＨＤＲ１におけるコンテンツの一括処理の手順について、図１９に示すフローチャートを参照して説明する。ここでは、上記図１５で示した処理により、ユーザによって選択されたアイコンに対応する録画タイトルの再生リストがディスプレイ２４に表示されているものとする。
【００８０】
ユーザが、再生リストの中から、複数のコンテンツを選択して（Ｓ８１）、削除を指示すると（Ｓ８２）、制御用マイコン１０は、コンテンツ一括処理部１０ｉを用いて、ユーザによって選択されたコンテンツを一括して削除する（Ｓ８３）。なお、ユーザは、上記Ｓ８１において、同一アイコンを一括して選択してもよい。また、上記Ｓ８２において、ユーザは録画コンテンツ名の変更や、アイコンの変更や、削除対象から除外するためのプロテクト処理等を指示してもよい。
【００８１】
上述したように、本実施形態に係るＨＤＲ１においては、コンテンツ一括処理部１０ｉを用いて、ユーザによって選択されたアイコンが割当てられているコンテンツに対して、一括で、削除処理や、プロテクト処理等の処理を行う。そのため、複数のコンテンツに対して操作指示を行う際に、コンテンツの一つずつに対して操作を行う必要がなくなるので、ユーザによる操作の手間を低減できる。
【００８２】
また、ＵＳＢポート１６に接続された外部機器から取り込んだ画像データを、アイコンとしてアイコンデータ１７ｅに格納するので、ユーザは、例えば、パソコン等を用いて作成した好みのアイコンを容易にコンテンツに割当てることができる。従って、ユーザにとって、アイコンによるコンテンツの識別性がより良くなると共に、コンテンツに割当てるアイコンの嗜好性を高めることができる。
【００８３】
また、ユーザが描画したアイコンをアイコンデータ１７ｅに格納するため、ユーザは、自ら作成したアイコンをコンテンツに容易に割当てることができる。従って、アイコンによるコンテンツの識別性をより良くすることができると共に、コンテンツに割当てるアイコンの嗜好性をより高めることができる。
【００８４】
また、コンテンツの録画時間をアイコンに表示することができるので、ユーザは、コンテンツに対して録画時間を表示させる操作を行うことなしに、アイコンを見るだけでコンテンツの録画時間が分かる。従って、ユーザによるコンテンツに対しての操作の手間を低減できる。
【００８５】
また、コンテンツの録画時間を表示するアイコンを、コンテンツの録画時間の長い順又は短い順に並び替えた後、再生リストで出力できる。そのため、ユーザは、録画時間の長いコンテンツや短いコンテンツを容易に探し出すことができる。
【００８６】
また、同一アイコンが割り当てられたコンテンツの録画タイトルのみを再生リストに表示することができるため、ユーザは、ユーザ自身が録画した録画タイトル等を容易に確認することができる。
【００８７】
なお、本発明は、上記実施形態の構成に限られず、発明の趣旨を変更しない範囲で種々の変形が可能である。例えば、上記実施形態において、請求項に示す録画再生装置がＨＤＲである例を示したが、これに限られず、コンテンツを録画可能なＡＶ機器であればよい。また、ＨＤＲが、ＨＤＭＩ端子部に接続されたＴＶ受像機のディスプレイに再生リストを表示する例を示したが、ＴＶ受像機以外のＡＶ機器の表示部に表示してもよい。
【００８８】
また、ＵＳＢポートに接続された外部機器からアイコン用の画像データを取り込む例を示したが、これに限られず、ＨＤＭＩ端子部に接続された外部機器からアイコン用の画像データを取り込んでもよい。また、ユーザによって選択されたアイコンをコンテツに割り当てる例を示したが、ユーザがアイコンの割当てをしなかったコンテンツには、録画時間アイコンをデフォルトで作成して割り当てるようにしてもよい。
【符号の説明】
【００８９】
１  ＨＤＲ（録画再生装置）
５  リモコン（操作手段）
１０  制御用マイコン（制御手段）
１５  ＨＤＭＩ端子部（接続手段）
１６  ＵＳＢポート（接続手段）
１７  メモリ（アイコン記憶手段、グループ情報記憶手段）
１８  ＨＤＤ（録画媒体）
５３  十字キー（アイコン描画操作手段）
５４  決定キー（アイコン選択指示手段）
１７ｅ  アイコンデータ（アイコン記憶手段）
１７ｆ  グループデータ（グループ情報記憶手段）
【図１】
2012095125.tif 000003
【図２】
2012095125.tif 000004
【図３】
2012095125.tif 000005
【図４】
2012095125.tif 000006
【図５】
2012095125.tif 000007
【図６】
2012095125.tif 000008
【図７】
2012095125.tif 000009
【図１１】
2012095125.tif 000010
【図１３】
2012095125.tif 000011
【図１５】
2012095125.tif 000012
【図１８】
2012095125.tif 000013
【図１９】
2012095125.tif 000014
【図８】
2012095125.tif 000015
【図９】
2012095125.tif 000016
【図１０】
2012095125.tif 000017
【図１２】
2012095125.tif 000018
【図１４】
2012095125.tif 000019
【図１６】
2012095125.tif 000020
【図１７】
2012095125.tif 000021